(57)【要約】【課題】  センサの感度調整専用の信号線等を設けることなくセンサの感度調整を可能とするセンサ感度調整システムを提供する。【解決手段】  センサ感度調整システム２は、インジケータ１６ａが設けられたコンビネーションメータ１６と、車両に生じる振動の検出を行うセンサ１２と、センサの感度を調整するための情報の入力を行う感度入力装置１４と、インジケータの表示制御を行うと共に、センサの感度調整を制御するコントローラ１０とを備える。コントローラ１０は、インジケータの表示を制御する表示制御信号をコンビネーションメータ１６に送信する信号線と同一の信号線を介して、感度調整命令をセンサ１２に送信する。【選択図】  図１
2006047028.tif 000002
【特許請求の範囲】
【請求項１】
インジケータが設けられた表示装置と、
車両における所定の状態を検出するセンサと、
前記センサの感度を調整する感度調整指示を入力する入力手段と、
前記インジケータの表示制御を行うと共に、前記センサの感度調整を制御するコントローラとを備えるセンサ感度調整システムにおいて、
前記コントローラは、
前記インジケータの表示を制御するインジケータ表示制御手段と、
前記入力手段により入力された感度調整指示に基づく感度調整命令を、前記センサに送信する感度調整命令送信手段とを備え、
前記感度調整命令送信手段は、
前記インジケータの表示を制御する表示制御信号を前記表示装置に送信する信号線と同一の信号線を介して、前記感度調整命令を前記センサに送信することを特徴とするセンサ感度調整システム。
【請求項２】
前記センサは、
前記所定の状態を検出する検出手段と、
前記コントローラから送信された感度調整命令に基づいて、前記検出手段の感度を調整する感度調整手段と、
前記感度調整手段による感度の調整結果を、前記コントローラに送信する調整結果送信手段とを備え、
前記調整結果送信手段は、
前記検出手段による検出結果を示すセンサ情報を前記コントローラに送信する信号線と同一の信号線を介して、前記感度調整結果を前記コントローラに送信することを特徴とする請求項１記載のセンサ感度調整システム。
【請求項３】
前記感度調整命令は、
前記センサに対する感度調整モード移行命令、感度調整命令及び感度調整モード終了命令を含み、前記感度調整モード移行命令、前記感度調整命令及び前記感度調整モード終了命令は、それぞれ異なる信号パターンを有し、
前記インジケータ表示制御手段は、
前記感度調整モード移行命令、前記感度調整命令及び前記感度調整モード終了命令の各々の信号パターンに対応させて前記インジケータの表示を制御することを特徴とする請求項１又は請求項２記載のセンサ感度調整システム。
【請求項４】
前記インジケータ表示制御手段は、
前記感度調整モード移行命令、前記感度調整命令及び前記感度調整モード終了命令に対応するインジケータの表示時間を一定に保つことを特徴とする請求項３記載のセンサ感度調整システム。
【発明の詳細な説明】
【技術分野】
【０００１】
この発明は、車両に搭載される車両状態を検出するセンサの感度を調整するセンサ感度調整システムに関するものである。
【背景技術】
【０００２】
従来、車両に搭載される車両状態を検出するセンサ等の感度は、センサ自体に取付けられている感度調整用つまみを操作することにより調整を行っていた。例えば、特許文献１に開示されているように、盗難検知装置に備えられている振動センサの検知信号の増幅率を制御するための固定ボリュームを操作することにより盗難検知装置の感度を変更していた。
【０００３】
【特許文献１】特開２００２−２４５５５８号公報
【発明の開示】
【発明が解決しようとする課題】
【０００４】
しかしながら、センサ自体に取付けられている感度調整用つまみを操作することによりセンサの感度調整を行う場合、ユーザがアクセスし難い場所にセンサが取付けられた場合等には、センサの感度調整を容易に行うことができなかった。そこで、センサに直接アクセスしなくても外部コントローラからセンサに感度調整命令を送信することで感度調整を行うセンサ感度調整システムが提案されているが、この感度調整システムにおいては、センサと感度調整を行うコントローラとの間に感度調整用命令、感度調整結果を送受信するための感度調整専用の送受信信号線が必要であった。
【０００５】
この発明の課題は、センサの感度調整専用の信号線等を設けることなくセンサの感度調整を可能とするセンサ感度調整システムを提供することである。
【課題を解決するための手段】
【０００６】
請求項１記載のセンサ感度調整システムは、インジケータが設けられた表示装置と、車両における所定の状態を検出するセンサと、センサの感度を調整する感度調整指示を入力する入力手段と、インジケータの表示制御を行うと共に、センサの感度調整を制御するコントローラとを備えるセンサ感度調整システムにおいて、コントローラは、インジケータの表示を制御するインジケータ表示制御手段と、入力手段により入力された感度調整指示に基づく感度調整命令を、センサに送信する感度調整命令送信手段とを備え、感度調整命令送信手段は、インジケータの表示を制御する表示制御信号を前記表示装置に送信する信号線と同一の信号線を介して、感度調整命令を前記センサに送信することを特徴とする。
【０００７】
この請求項１記載のセンサ感度調整システムによれば、コントローラに備えられている感度調整命令送信手段が表示装置に対してインジケータの表示を制御する表示制御信号を送信する信号線と同一の信号線を介して、センサに対して感度調整命令を送信するため、センサとコントローラとの間に感度調整用命令を送信するための感度調整専用の信号線を設けることなくセンサの感度調整を容易に行うことができる。
【０００８】
また、請求項２記載のセンサ感度調整システムは、センサが所定の状態を検出する検出手段と、コントローラから送信された感度調整命令に基づいて、検出手段の感度を調整する感度調整手段と、感度調整手段による感度の調整結果を、コントローラに送信する調整結果送信手段とを備え、調整結果送信手段は、検出手段による検出結果を示すセンサ情報をコントローラに送信する信号線と同一の信号線を介して、感度調整結果を前記コントローラに送信することを特徴とする。
【０００９】
この請求項２記載のセンサ感度調整システムによれば、センサに備えられている調整結果送信手段がコントローラに対して、検出手段による検出結果を示すセンサ情報をコントローラに送信する信号線と同一の信号線を介して感度調整結果を送信するため、センサとコントローラとの間に感度調整結果を送信するための感度調整専用の信号線を設けることなくセンサの感度調整を容易に行うことができる。
【００１０】
また、請求項３記載のセンサ感度調整システムは、感度調整命令がセンサに対する感度調整モード移行命令、感度調整命令及び感度調整モード終了命令を含み、感度調整モード移行命令、感度調整命令及び感度調整モード終了命令は、それぞれ異なる信号パターンを有し、インジケータ表示制御手段は、感度調整モード移行命令、感度調整命令及び感度調整モード終了命令の各々の信号パターンに対応させてインジケータの表示を制御することを特徴とする。
【００１１】
また、請求項４記載のセンサ感度調整システムは、インジケータ表示制御手段は、感度調整モード移行命令、感度調整命令及び感度調整モード終了命令に対応するインジケータの表示時間を一定に保つことを特徴とする。
【００１２】
この請求項３及び請求項４記載のセンサ感度調整システムによれば、インジケータ表示制御手段が感度調整モード移行命令、感度調整命令及び感度調整モード終了命令の各々の信号パターンに対応させてインジケータの表示を制御するため、ユーザは、インジケータの表示状態により、その時点におけるセンサの感度調整モードを容易に確認することができる。
【発明の効果】
【００１３】
この発明によれば、コントローラに備えられている感度調整命令送信手段がコンビネーションメータなどの表示装置に対してインジケータの表示を制御する表示制御信号を送信する信号線と同一の信号線を介して、センサに対して感度調整命令を送信するため、センサとコントローラとの間に感度調整用命令を送信するための感度調整専用の信号線を設けることなくセンサの感度調整を容易に行うことができる。また、センサに備えられている調整結果送信手段がコントローラに対して、検出手段による検出結果を示すセンサ情報をコントローラに送信する信号線と同一の信号線を介して感度調整結果を送信するため、センサとコントローラとの間に感度調整結果を送信するための感度調整専用の信号線を設けることなくセンサの感度調整を容易に行うことができる。
【００１４】
また、インジケータ表示制御手段が感度調整モード移行命令、感度調整命令及び感度調整モード終了命令の各々の信号パターンに対応させてインジケータの表示を制御するため、ユーザは、インジケータの表示状態により、その時点におけるセンサの感度調整モードを容易に確認することができる。
【発明を実施するための最良の形態】
【００１５】
以下、図面を参照して、この発明の実施の形態に係るセンサの感度調整システムについて説明する。図１は、この発明の実施の形態に係る盗難警報装置に備えられている振動センサの感度を調整する感度調整システムの構成図である。
【００１６】
図１に示すように、感度調整システム２は、コントロールユニット１０を備えており、コントロールユニット１０には、車両に生じた振動を検出するための振動センサ１２、振動センサ１２の感度調整のための情報の入力を行う感度入力装置１４及びコンビネーションメータ１６が接続されている。
【００１７】
コントロールユニット１０には、感度調整システム２全体の制御を行う制御部１０ａが備えられている。制御部１０ａには、後述するコンビネーションメータ１６に設けられているセキュリティＬＥＤ１６ａの表示制御を行うためのプログラム、センサの感度調整を制御するためのプラグラムなどが記憶されている記憶部１０ｂ、コンビネーションメータ１６に対する表示制御信号、センサ１２に対する感度調整命令などの送信を行う送信部１０ｃ及び感度入力装置１４から入力された感度調整のための情報、振動センサ１２からの感度調整結果等の受信を行う受信部１０ｄが備えられている。
【００１８】
振動センサ１２には、車両に生じた振動の検出を行う検出部１２ａ、検出部１２ａの感度調整を行うためのソフトウエアによる感度調整ロジックが内蔵された感度調整部１２ｂ、コントロールユニット１０からの感度調整命令を受信する受信部１２ｃ及びコントロールユニット１０に対して感度調整結果等を送信する送信部１２ｄが備えられている。
【００１９】
感度入力装置１４は、ナビゲーションシステムの表示部に設けられたタッチパネルなどにより構成され、ユーザがタッチパネルを操作することにより感度調整のための情報が入力される。また、コンビネーションメータ１６には、振動センサ１２による振動の検出時等に点灯を行うセキュリティＬＥＤ１６ａが備えられている。
【００２０】
次に、この実施の形態に係る感度調整システム２におけるセンサの感度調整について説明する。まず、ユーザが感度入力装置１４を用いて感度調整命令の入力を行った場合には、コントロールユニット１０は、制御部１０による制御の下、受信部１０ｄを介して感度調整命令の受信を行い、受信した感度調整命令を記憶部１０ｂに記憶する。コントロールユニット１０は、感度調整命令の受信を行うと、コンビネーションメータ１６に備えられているセキュリティＬＥＤ１６ａの表示を制御するための表示制御信号をコンビネーションメータ１６に対して送信する。また、センサ１２に対して感度調整命令の送信を行う。この場合に、コンビネーションメータ１６に対する表示制御信号の送信と、センサ１２に対する感度調整命令の送信は、送信部１０ｃを介して同一の信号線を用いて行われる。
【００２１】
ここで、コントロールユニット１０からセンサ１２に対して送信される感度調整命令は、図２に示すように、「感度調整モード移行命令」、「感度調整命令」及び「感度調整モード終了命令」を含んでおり、「感度調整モード移行命令」、「感度調整命令」及び「感度調整モード終了命令」は、それぞれ異なる信号パターンを有している。なお、感度調整命令に含まれる「感度調整モード移行命令」、「感度調整命令」及び「感度調整モード終了命令」は、１つのメッセージセットとして、コントロールユニット１０からセンサ１２に対して送信される。
【００２２】
図３は、「感度調整モード移行命令」、「感度調整命令」及び「感度調整モード終了命令」の信号パターンを説明するための図である。「感度調整モード移行命令」は、センサ１２を感度調整モードへ移行させるための命令であり、常に一定の信号パターンを有する。図３（ａ）は、感度調整モード移行命令の信号パターンを示しており、１００ｍｓのLOW信号、９００ｍｓのHI信号、５００ｍｓのLOW信号、４００ｍｓのHI信号及び４００ｍｓのLOW信号により構成されている。この信号パターンは、ユーザが目視により判断が可能なように長めの出力パターンにより構成されている。
【００２３】
「感度調整命令」は、センサ１２に対して、変更する感度値を指示するための命令であり、感度調整命令の全体の時間は一定であるが変更を指示する感度値により異なる出力パターンを有する。この感度調整命令は、短いタイミングの出力パターンにより構成されているため、感度値の変化により信号パターンが多少変化した場合においても、ユーザにその変化が伝わりにくくユーザが違和感を持つのを防止することができる。また、ユーザが「感度調整モード移行命令」、「感度調整モード終了命令」の信号パターンと容易に区別することができる。図３（ｂ）は、感度調整命令の信号パターンを示している。感度調整命令の信号パターンは、１００ｍｓのLOW信号、９０ｍｓで１ｂｉｔの信号（６０ｍｓのHI信号及び３０ｍｓのLOW信号により「１」を表現し、３０ｍｓのHI信号及び６０ｍｓのLOW信号により「０」を表現する。）を示し、４ｂｉｔの信号により示される感度値、及び１００ｍｓのLOW信号により構成されている。
【００２４】
「感度調整モード終了命令」は、センサ１２に感度調整モードを終了させるための命令であり、常に一定の信号パターンを有する。図３（ｃ）は、感度調整モード終了命令の信号パターンを示しており、４００ｍｓのHI信号、５００ｍｓのLOW信号及び９００ｍｓのHI信号により構成されている。この信号パターンは、ユーザが目視により判断が可能なように長めの出力パターンにより構成されている。
【００２５】
コントロールユニット１０からセンサ１２に対して感度調整命令が送信された場合には、センサ１２は、受信部１２ｃを介して感度調整命令を受信し、センサ１２の感度調整を行う。即ち、センサ１２は、感度調整命令に含まれる「感度調整モード移行命令」を受信することにより、感度調整モードに移行する。次に、感度調整部１２ｂにより、感度調整命令に含まれる「感度調整命令」の感度値に基づいて、検出部１２ａの感度調整を行う。
次に、感度調整部１２ｂは、感度調整命令に含まれる「感度調整モード終了命令」に基づいて、センサ１２の感度調整モードを終了し、送信部１２ｄを介してコントロールユニット１０に対して感度調整結果の出力を行う。なお、センサ１２は、感度調整結果の出力を行った後は、検出部１２ａによる検出値をコントロールユニット１０に対して出力する。
【００２６】
また、感度調整命令は、センサ１２に対する送信に用いたのと同一の信号線を用いてコンビネーションメータ１６に対して送信される。コンビネーションメータ１６においては、感度調整命令に含まれる「感度調整モード移行命令」、「感度調整命令」及び「感度調整モード終了命令」の各々の信号パターンに対応させてセキュリティＬＥＤ１６ａの表示を制御する。なお、「感度調整モード移行命令」及び「感度調整モード終了命令」は、常に同一の出力パターンを有し、「感度調整命令」は、変更する感度値が異なる場合においても全体としてのパターンの出力時間は、一定であるため、「感度調整モード移行命令」、「感度調整命令」及び「感度調整モード終了命令」の各々の信号パターンに対応させたセキュリティＬＥＤ１６ａの表示時間は、一定に保たれる。
【００２７】
この実施の形態に係るセンサ感度調整システムによれば、コントロールユニット１０からコンビネーションメータ１６に対してセキュリティＬＥＤ１６ａの表示を制御する表示制御信号を送信する信号線と同一の信号線を介して、センサ１２に対して感度調整命令を送信するため、センサ１２とコントロールユニット１０との間に感度調整用命令を送信するための感度調整専用の信号線を設けることなくセンサの感度調整を容易に行うことができる。
【００２８】
また、センサ１２からコントロールユニット１０に対して、検出手段１２ａによる検出結果を示すセンサ情報をコントロールユニット１０に送信する信号線と同一の信号線を介して感度調整結果を送信するため、センサ１２とコントロールユニット１０との間に感度調整結果を送信するための感度調整専用の信号線を設けることなくセンサの感度調整を容易に行うことができる。
【００２９】
また、「感度調整モード移行命令」、「感度調整命令」及び「感度調整モード終了命令」の各々の信号パターンに対応させてセキュリティＬＥＤ１６ａの表示を制御するため、ユーザは、セキュリティＬＥＤ１６ａの表示状態により、その時点におけるセンサの感度調整モードを容易に確認することができる。
【００３０】
なお、上述の実施の形態においては、感度入力装置をナビゲーションシステムの表示部に設けられたタッチパネルなどにより構成しているが、故障診断ツールなどの表示部、入力部などにより構成しても良い。
【００３１】
また、上述の実施の形態においては、盗難警報装置に備えられている振動センサの感度を調整する感度調整システムについて説明したが、これに限定されることなく、車両に備えられている車両の状態を検出する様々なセンサの感度調整にこの発明を適用することができる。
【図面の簡単な説明】
【００３２】
【図１】この発明の実施の形態に係るセンサの感度調整システムの構成図である。
【図２】この発明の実施の形態に係る感度調整命令を構成するモードを説明するため図である。
【図３】この発明の実施の形態に係る感度調整命令を構成する感度調整モード移行命令、感度調整命令及び感度調整モード終了命令を説明するための図である。
【符号の説明】
【００３３】
２…感度調整システム、１０…コントロールユニット、１２…振動センサ、１２ａ…検出部、１２ｂ…感度調整部、１４…感度入力装置、１６…コンビネーションメータ。
【図１】
2006047028.tif 000003
【図２】
2006047028.tif 000004
【図３】
2006047028.tif 000005